【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
ネットワーク上において公開するコンテンツを蓄積する公開コンテンツ蓄積手段と、
前記公開コンテンツに関する情報であるデジタルチャンネル情報を作成する作成手段と、
前記作成手段で作成された前記デジタルチャンネル情報を、前記ネットワークを介して蓄積情報配信サーバ装置へ送信する送信手段とを備える、情報提供クライアント装置。
【請求項２】
デジタルチャンネル情報を、ネットワークを介して情報提供クライアント装置から受信する受信手段と、
前記受信手段で受信した前記デジタルチャンネル情報を蓄積する蓄積手段と、
前記蓄積手段で蓄積された前記デジタルチャンネル情報を、前記ネットワークを介して情報蓄積機器装置へ配信する配信手段とを備える、蓄積情報配信サーバ装置。
【請求項３】
前記蓄積手段は、前記受信手段によって受信した前記デジタルチャンネル情報を、分類して蓄積する、請求項２に記載の蓄積情報配信サーバ装置。
【請求項４】
ネットワーク上で配信されるデジタルチャンネル情報を、蓄積情報配信サーバ装置から受信する受信手段と、
前記受信した前記デジタルチャンネル情報を蓄積する蓄積手段と、
前記蓄積手段で蓄積された前記デジタルチャンネル情報を、前記ネットワークを介して情報利用機器装置へ出力する出力手段とを備える、情報蓄積機器装置。
【請求項５】
複数の情報提供クライアント装置と、少なくとも１つの蓄積情報配信サーバ装置と、複数の情報蓄積機器装置と、複数の情報利用機器装置とが互いにネットワークによって接続されているシステムであって、
前記情報提供クライアント装置は、
複数のコンテンツを蓄積可能なコンテンツ蓄積手段と、
前記蓄積されたコンテンツをネットワーク上へ公開する公開手段と、
前記コンテンツを紹介する情報であるデジタルチャンネル情報を作成する作成手段と、
前記蓄積情報配信サーバ装置に前記作成されたデジタルチャンネル情報を送信する送信手段とを備え、
前記蓄積情報配信サーバ装置は、
複数の前記情報提供クライアント装置から送信されたデジタルチャンネル情報を受信する受信手段と、
前記受信した複数のデジタルチャンネル情報を蓄積する蓄積手段と、
前記蓄積した複数のデジタルチャンネル情報を前記情報蓄積機器装置へ配信する配信手段とを備え、
前記情報蓄積機器装置は、
前記蓄積情報配信サーバ装置から配信された複数のデジタルチャンネル情報を受信する受信手段と、
前記受信した複数のデジタルチャンネル情報を蓄積する蓄積手段と、
前記蓄積したデジタルチャンネル情報を前記情報利用機器装置へ出力する出力手段とを備え、
前記情報利用機器装置は、
前記情報蓄積機器装置から出力されたデジタルチャンネル情報を入力する入力手段と、
前記入力したデジタルチャンネル情報を表示する表示手段と、
前記表示したデジタルチャンネル情報に基づいて、前記情報提供クライアント装置の公開手段が公開しているコンテンツを受信するコンテンツ受信手段とを備える、デジタルチャンネル情報配信システム。
【請求項６】
前記情報利用機器装置は、
デジタルチャンネル情報の検索条件を入力する検索条件入力手段と、
前記入力した検索条件を前記情報蓄積機器装置へ出力する検索条件出力手段をさらに備え、
前記情報蓄積機器装置は、前記情報利用機器装置から出力された前記検索条件を入力する検索条件入力手段と、
前記入力した検索条件に基づいて、前記蓄積手段に蓄積されているデジタルチャンネル情報を検索する検索手段とをさらに備え、
前記情報蓄積機器装置の前記出力手段は、前記検索手段によって抽出されたデジタルチャンネル情報を、前記情報利用機器装置へ出力し、前記検索条件を前記蓄積情報配信サーバ装置へ送信することなく、前記情報利用機器装置の利用者が所望するデジタルチャンネル情報を検索することができる、請求項５に記載のデジタルチャンネル情報配信システム。
【請求項７】
前記蓄積情報配信サーバと前記ネットワークによって接続され、前記情報利用機器装置と通信可能な複数のサービスサーバ装置をさらに備え、
前記情報蓄積機器装置は、
前記出力手段による前記情報利用機器装置へのデジタルチャンネル情報の出力の履歴を記憶する履歴情報記憶手段と、
前記記憶した履歴情報を前記情報配信サーバ装置へ送信する履歴情報送信手段とをさらに備え、
前記蓄積情報配信サーバ装置は、
前記情報蓄積機器装置から送信された履歴情報を受信する履歴情報受信手段と、
前記受信した履歴情報を記憶する履歴情報記憶手段と、
前記記憶した履歴情報を、前記サービスサーバ装置へ、要求に応じて送信する履歴情報送信手段とをさらに備え、
前記サービスサーバ装置は、
前記蓄積情報配信サーバ装置から送信された前記履歴情報を受信する履歴情報受信手段と、
コンテンツを蓄積するコンテンツ蓄積手段と、
前記履歴情報受信手段によって受信した履歴情報に基づいて前記コンテンツ蓄積手段に蓄積されているコンテンツを検索する検索手段と、
前記検索手段で抽出されたコンテンツを前記情報利用機器装置へ送信する送信手段とを備え、
前記情報利用機器装置のコンテンツ受信手段は、前記サービスサーバ装置の送信手段で送信されたコンテンツを受信する、請求項５または６に記載のデジタルチャンネル情報配信システム。
【請求項８】
前記情報利用機器装置は、
デジタルチャンネル情報に対する要求情報を作成する要求情報作成手段と、
前記作成された要求情報を前記蓄積情報配信サーバ装置へ送信する要求情報送信手段とをさらに備え、
前記蓄積情報配信サーバ装置は、
前記情報利用機器装置から送信された要求情報を受信する要求情報受信手段と、
前記受信した要求情報を、対応する情報提供クライアント装置へ送信する要求情報送信手段とをさらに備える、請求項５〜７のいずれかに記載のデジタルチャンネル情報配信システム。
【請求項９】
前記情報提供クライアント装置の作成手段によって作成されたデジタルチャンネル情報は、検索情報キーワードと、デジタルチャンネル情報の公開日時情報と、公開コンテンツの概要を示す概要情報と、公開コンテンツの公開サイトにアクセスするためのアドレス情報とを含み、
前記情報蓄積機器装置の検索手段は、前記蓄積手段に蓄積されているデジタルチャンネル情報を、前記検索条件入力手段によって入力された検索条件と前記デジタルチャンネル情報に含まれている検索情報キーワード、および現在日時情報と前記デジタルチャンネル情報に含まれているデジタルチャンネル情報の公開日時情報とに基づいて検索し、
前記情報利用機器装置の表示手段は、前記デジタルチャンネル情報に含まれている公開コンテンツの概要情報を表示し、
前記コンテンツ受信手段は、前記デジタルチャンネル情報に含まれている前記アドレス情報に基づいて公開サイトにアクセスし、前記公開コンテンツを受信する、請求項５〜８のいずれかに記載のデジタルチャンネル情報配信システム。
【請求項１０】
前記情報提供クライアント装置の作成手段によって作成されたデジタルチャンネル情報は、さらに、複数の検索情報キーワードの論理和または論理積からなるキーワード検索条件情報を含み、
前記情報利用機器装置のコンテンツ受信手段は、前記情報蓄積機器装置の検索条件入力手段で入力された検索条件と、前記キーワード検索条件情報とに基づいて前記公開サイトにアクセスして前記公開コンテンツを受信する、請求項９に記載のデジタルチャンネル情報配信システム。
【請求項１１】
前記情報提供クライアント装置の作成手段によって作成されたデジタルチャンネル情報は、日時情報と公開コンテンツの公開サイトにアクセスするためのアドレス情報とが対応付けられた日時アドレス情報を含み、
前記情報利用機器装置のコンテンツ受信手段は、現在日時情報と前記日時アドレス情報とに基づいて前記公開サイトにアクセスして前記公開コンテンツを受信する、請求項５〜１０のいずれかに記載のデジタルチャンネル情報配信システム。
【請求項１２】
前記情報提供クライアント装置の作成手段によって作成されたデジタルチャンネル情報は、検索情報キーワード情報と公開コンテンツの公開サイトにアクセスするためのアドレス情報とが対応付けられたキーワードアドレス情報を含み、
前記情報利用機器装置のコンテンツ受信手段は、前記情報蓄積機器装置の検索条件入力手段で入力された検索条件と、前記キーワードアドレス情報とに基づいて前記公開サイトにアクセスして前記公開コンテンツを受信する、請求項５〜１１のいずれかに記載のデジタルチャンネル情報配信システム。
【請求項１３】
前記情報提供クライアント装置の作成手段によって作成されたデジタルチャンネル情報に含まれる、前記公開コンテンツの概要を示す概要情報は画像情報であり、
前記情報利用機器装置の表示手段は、前記画像情報を一覧表示する、請求項９に記載のデジタルチャンネル情報配信システム。